(57)【特許請求の範囲】
【請求項１】
複数の遊技機に対して入替申請用に作成された入替書類データから、前記複数の遊技機に含まれる各遊技機の検定番号または型式名と、前記各遊技機の台番号とが対応付いた第１データを抽出する抽出部と、
前記各遊技機に配置された近距離通信用タグが有する識別情報と、前記各遊技機の台番号とが対応付いた第２データを取得する取得部と、
前記各遊技機の検定番号または型式名と、前記各遊技機の機種に関連する機種情報とを対応付けて記憶する記憶部と、
前記第１データおよび前記第２データを前記台番号に基づいて合成した合成データに含まれる前記識別情報と、前記記憶部に記憶された前記機種情報とを、同じ検定番号または同じ型式名によって紐付ける制御部と、
を備えた情報処理装置。
【請求項２】
ユーザが携帯する携帯端末が前記近距離通信用タグから受信した識別情報を取得して、当該識別情報に紐付いた前記機種情報を前記携帯端末に送信する第１送信部をさらに備えた請求項１に記載の情報処理装置。
【請求項３】
前記機種情報は、前記機種情報の提供元をアクセスするためのアクセスアドレスにより取得される請求項１または２に記載の情報処理装置。
【請求項４】
前記第２データは、さらに、前記台番号ごとに割り当てられたサービス情報を含み、
前記制御部は、前記識別情報と前記サービス情報とを紐付ける請求項１から３のいずれか１項に記載の情報処理装置。
【請求項５】
ユーザが携帯する携帯端末が前記近距離通信用タグから受信した識別情報を取得して、当該識別情報に紐付いた前記サービス情報を前記携帯端末に送信する第２送信部をさらに備えた請求項４に記載の情報処理装置。
【請求項６】
前記サービス情報は、前記サービス情報の提供元をアクセスするためのアクセスアドレスにより取得される請求項４または５に記載の情報処理装置。
【請求項７】
前記サービス情報は、新しい遊技機への入替に関する新台入替の情報と、遊技に関するユーザの今日の運勢を示す情報と、前記ユーザの取得が可能な限定商品の情報と、の少なくとも１つを含む請求項４から６のいずれか１項に記載の情報処理装置。
【請求項８】
前記ユーザが入力したパスワードの合否を判定し、前記パスワードが合致する場合に前記携帯端末への送信を許可する判定部をさらに備えた請求項２または５に記載の情報処理装置。
【請求項９】
複数の遊技機に含まれる各遊技機の台番号と、前記各遊技機の検定番号または型式名と、前記各遊技機に配置された近距離通信用タグが有する識別情報とを対応付けて記憶する第１記憶部と、
前記各遊技機の検定番号または型式名と、前記各遊技機の機種に関連する機種情報とを対応付けて記憶する第２記憶部と、
前記第１記憶部に記憶された前記識別情報と、前記第２記憶部に記憶された前記機種情報とを、同じ検定番号または同じ型式名によって紐付ける制御部と、
を備えた情報処理装置。
【請求項１０】
抽出部が、複数の遊技機に対して入替申請用に作成された入替書類データから、前記複数の遊技機に含まれる各遊技機の検定番号または型式名と、前記各遊技機の台番号とが対応付いた第１データを抽出する抽出ステップと、
取得部が、前記各遊技機に配置された近距離通信用タグが有する識別情報と、前記各遊技機の台番号とが対応付いた第２データを取得する取得ステップと、
前記各遊技機の検定番号または型式名と、前記各遊技機の機種に関連する機種情報とを対応付けて記憶部に記憶する記憶ステップと、
制御部が、前記第１データおよび前記第２データを前記台番号に基づいて合成した合成データに含まれる前記識別情報と、前記記憶部に記憶された前記機種情報とを、同じ検定番号または同じ型式名によって紐付ける制御ステップと、
を含む情報処理方法。
【請求項１１】
複数の遊技機に対して入替申請用に作成された入替書類データから、前記複数の遊技機に含まれる各遊技機の検定番号または型式名と、前記各遊技機の台番号とが対応付いた第１データを抽出する抽出ステップと、
前記各遊技機に配置された近距離通信用タグが有する識別情報と、前記各遊技機の台番号とが対応付いた第２データを取得する取得ステップと、
前記各遊技機の検定番号または型式名と、前記各遊技機の機種に関連する機種情報とを対応付けて記憶部に記憶する記憶ステップと、
前記第１データおよび前記第２データを前記台番号に基づいて合成した合成データに含まれる前記識別情報と、前記記憶部に記憶された前記機種情報とを、同じ検定番号または同じ型式名によって紐付ける制御ステップと、
をコンピュータに実行させる情報処理プログラム。
【発明の詳細な説明】
【技術分野】
【０００１】
本発明は、情報処理装置、情報処理方法および情報処理プログラムに関する。
【背景技術】
【０００２】
上記技術分野において、特許文献１には、遊技者の携帯端末が、近距離通信（ＮＦＣ）により遊技機のＲＦタグから取得した遊技機特定情報に基づいて、サーバが遊技機から収集した遊技情報を受信して表示する技術が開示されている。また、特許文献２には、ユーザ端末が非接触電子タグからタグＩＤを含むウェブサイトのネットワーク特定情報を得て、ユーザ端末の現在の位置日時情報から固有の広告ＩＤを取得する技術が開示されている。
【先行技術文献】
【特許文献】
【０００３】
【特許文献１】特開２０１３−０８５８５８号公報
【特許文献２】特許第６７５５０３３号公報
【発明の概要】
【発明が解決しようとする課題】
【０００４】
しかしながら、上記文献に記載の技術では、近距離通信により得た各遊技機の識別情報と遊技機の機種とが関連付かないので、近距離通信により得た識別情報に基づいて遊技機の機種に応じた情報を提供することができなかった。
【０００５】
本発明の目的は、上述の課題を解決する技術を提供することにある。
【課題を解決するための手段】
【０００６】
上記目的を達成するため、本発明に係る情報処理装置は、
複数の遊技機に対して入替申請用に作成された入替書類データから、前記複数の遊技機に含まれる各遊技機の検定番号または型式名と、前記各遊技機の台番号とが対応付いた第１データを抽出する抽出部と、
前記各遊技機に配置された近距離通信用タグが有する識別情報と、前記各遊技機の台番号とが対応付いた第２データを取得する取得部と、
前記各遊技機の検定番号または型式名と、前記各遊技機の機種に関連する機種情報とを対応付けて記憶する記憶部と、
前記第１データおよび前記第２データを前記台番号に基づいて合成した合成データに含まれる前記識別情報と、前記記憶部に記憶された前記機種情報とを、同じ検定番号または同じ型式名によって紐付ける制御部と、
を備えた。
【０００７】
上記目的を達成するため、本発明に係る情報処理装置は、
複数の遊技機に含まれる各遊技機の台番号と、前記各遊技機の検定番号または型式名と、前記各遊技機に配置された近距離通信用タグが有する識別情報とを対応付けて記憶する第１記憶部と、
前記各遊技機の検定番号または型式名と、前記各遊技機の機種に関連する機種情報とを対応付けて記憶する第２記憶部と、
前記第１記憶部に記憶された前記識別情報と、前記第２記憶部に記憶された前記機種情報とを、同じ検定番号または同じ型式名によって紐付ける制御部と、
を備えた。
【０００９】
上記目的を達成するため、本発明に係る情報処理方法は、
抽出部が、複数の遊技機に対して入替申請用に作成された入替書類データから、前記複数の遊技機に含まれる各遊技機の検定番号または型式名と、前記各遊技機の台番号とが対応付いた第１データを抽出する抽出ステップと、
取得部が、前記各遊技機に配置された近距離通信用タグが有する識別情報と、前記各遊技機の台番号とが対応付いた第２データを取得する取得ステップと、
前記各遊技機の検定番号または型式名と、前記各遊技機の機種に関連する機種情報とを対応付けて記憶部に記憶する記憶ステップと、
制御部が、前記第１データおよび前記第２データを前記台番号に基づいて合成した合成データに含まれる前記識別情報と、前記記憶部に記憶された前記機種情報とを、同じ検定番号または同じ型式名によって紐付ける制御ステップと、
を含む。
【００１０】
上記目的を達成するため、本発明に係る情報処理プログラムは、
複数の遊技機に対して入替申請用に作成された入替書類データから、前記複数の遊技機に含まれる各遊技機の検定番号または型式名と、前記各遊技機の台番号とが対応付いた第１データを抽出する抽出ステップと、
前記各遊技機に配置された近距離通信用タグが有する識別情報と、前記各遊技機の台番号とが対応付いた第２データを取得する取得ステップと、
前記各遊技機の検定番号または型式名と、前記各遊技機の機種に関連する機種情報とを対応付けて記憶部に記憶する記憶ステップと、
前記第１データおよび前記第２データを前記台番号に基づいて合成した合成データに含まれる前記識別情報と、前記記憶部に記憶された前記機種情報とを、同じ検定番号または同じ型式名によって紐付ける制御ステップと、
をコンピュータに実行させる。
【発明の効果】
【００１１】
本発明によれば、近距離通信により得た各遊技機の識別情報に基づいて遊技機の機種に応じた情報を提供することができる。
【図面の簡単な説明】
【００１２】
【図１】第１実施形態に係る情報処理装置の構成を示すブロック図である。
【図２】第２実施形態に係る情報処理装置を含む情報処理システムの動作概要を示す図である。
【図３Ａ】第２実施形態に係る情報処理装置を含む情報処理システムの構成を示すブロック図である。
【図３Ｂ】第２実施形態に係る遊技機の構成を示す図である。
【図３Ｃ】第２実施形態に係る情報処理システムを用いた遊技機管理の手順を示す図である。
【図３Ｄ】第２実施形態に係る情報処理装置を含む情報処理システムの動作手順を示すシーケンス図である。
【図４Ａ】第２実施形態に係る店舗の通信端末からのＮＦＣ識別情報設定を示す図である。
【図４Ｂ】第２実施形態に係る店舗の通信端末からの台番別ＵＲＬ設定を示す図である。
【図４Ｃ】第２実施形態に係る店舗の通信端末からの入替書類データ設定を示す図である。
【図５Ａ】第２実施形態に係るユーザ端末のサービスメニュー表示画面を示す図である。
【図５Ｂ】第２実施形態に係るユーザ端末の「機種情報」選択時の表示画面を示す図である。
【図５Ｃ】第２実施形態に係るユーザ端末の「新台入替」選択時の表示画面を示す図である。
【図５Ｄ】第２実施形態に係るユーザ端末の「今日の運勢」選択時の表示画面を示す図である。
【図５Ｅ】第２実施形態に係るユーザ端末の「限定商品」選択時の表示画面を示す図である。
【図６】第２実施形態に係る情報処理装置の機能構成を示すブロック図である。
【図７】第２実施形態に係る機種情報取得テーブルの構成を示す図である。
【図８】第２実施形態に係る情報処理装置のハードウェア構成を示すブロック図である。
【図９】第２実施形態に係る情報処理装置の処理手順を示すフローチャートである。
【図１０Ａ】第２実施形態に係るデータベース生成処理の手順を示すフローチャートである。
【図１０Ｂ】第２実施形態に係る機種情報（ＵＲＬ）提供処理の手順を示すフローチャートである。
【図１１】第２実施形態に係るユーザ端末の処理手順を示すフローチャートである。
【図１２Ａ】第３実施形態に係る情報提供のパスワード処理の設定を説明する図である。
【図１２Ｂ】第３実施形態に係る情報提供のパスワード処理時の表示画面を示す図である。
【図１３】第４実施形態に係る情報処理装置を含む情報処理システムの動作概要を示す図である。
【図１４】第５実施形態に係る情報処理装置を含む情報処理システムの動作概要を示す図である。
【図１５】第５実施形態に係る店舗台番別ＵＲＬ生成処理の手順を示すフローチャートである。
【図１６】第６実施形態に係る情報処理装置を含む情報処理システムの動作概要を示す図である。
【図１７】第７実施形態に係るユーザ端末のサービスメニュー表示画面を示す図である。
【図１８】第７実施形態に係る情報処理装置を含む情報処理システムの動作概要を示す図である。
【図１９】第７実施形態に係る情報処理装置を含む情報処理システムの動作手順を示すシーケンス図である。
【発明を実施するための形態】
【００１３】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１４】
［第１実施形態］
本発明の第１実施形態としての情報処理装置１００について、図１を用いて説明する。情報処理装置１００は、遊技機に関する情報を提供するための装置である。
【００１５】
図１に示すように、情報処理装置１００は、抽出部１０１と、取得部１０２と、記憶部１０３と、制御部１０４と、を含む。抽出部１０１は、複数の遊技機に対して入替申請用に作成された入替書類データから、複数の遊技機に含まれる各遊技機の検定番号または型式名と、各遊技機の台番号とが対応付いた第１データを抽出する。取得部１０２は、各遊技機に配置された近距離通信用タグが有する識別情報と、各遊技機の台番号とが対応付いた第２データを取得する。記憶部１０３は、各遊技機の検定番号または型式名と、前記各遊技機の機種に関連する機種情報１３１とを対応付けて記憶する。制御部１０４は、第１データおよび第２データを台番号に基づいて合成した合成データ１４１に含まれる識別情報１４２と、記憶部１０３に記憶された機種情報１３１とを、同じ検定番号または同じ型式名によって紐付ける。
【００１６】
本実施形態によれば、各遊技機に配置された近距離通信用タグが有する識別情報と遊技機の機種に関連する機種情報とを、同じ検定番号または同じ型式名によって紐付けたので、近距離通信で得た識別情報に基づいて遊技機の機種に応じた情報を提供することができる。
【００１７】
［第２実施形態］
次に、本発明の第２実施形態に係る情報処理装置を含む情報処理システムについて説明する。本実施形態に係る情報処理装置は、遊技場の複数の遊技機に含まれる各遊技機についての機種ごとの機種情報または各遊技機のサービス情報を、各遊技機に配置された近距離通信（ＮＦＣ：Near field communication）用タグを読み取ったユーザが携帯する携帯端末（ユーザ端末とも称す）に提供する。そのために、情報処理装置は、入替書類データから抽出された、各遊技機の検定番号または型式名と台番号とが対応付いたデータと、近距離通信用タグが有する識別情報と台番号とが対応付いたデータとを合成する。そして、合成されたデータに含まれる識別情報と機種情報（または、機種情報をアクセスするＵＲＬ：Uniform Resource Locator）とを一意に紐付けて、データベースに保持する。ユーザユーザ端末で近距離通信用タグから識別情報を読み込んで情報処理装置に送信すると、識別情報に一意に紐付いた機種情報（または、ＵＲＬ）がユーザ端末に返信される。ユーザは、ユーザ端末において、遊技対象の遊技機に関する情報（機種情報またはサービス情報）を取得して閲覧することができる。
【００１８】
＜情報処理システム＞
以下、図２から図５Ｅを参照して、本実施形態の情報処理システムの構成および動作を詳細に説明する。
【００１９】
（動作概要）
図２は、本実施形態に係る情報処理装置を含む情報処理システム２００の動作概要を示す図である。
【００２０】
情報処理システム２００においては、各店舗の通信端末２５０から各遊技機に設置するＮＦＣタグが有するＮＦＣ識別情報を登録する。また、各遊技機の台番別ＵＲＬを入力することで、台番に対応付けられたＮＦＣ識別情報と台番別ＵＲＬとが結合されたテーブル２１０が生成される。また、各店舗の通信端末２６０から入替申請用の入替書類データが入力されると、入替書類データから検定番号や型式名が抽出されて、同じ台番によって、ＮＦＣ識別情報および台番別ＵＲＬと、検定番号や型式名とが合成されて（Ｓ２１０）、テーブル２２０が生成される。ここで、ＮＦＣ識別情報としては、対応する遊技台１台１台を一意に識別可能な情報が用いられる。例えば、ＮＦＣの製造番号やシリアル番号、あるいは、遊技台の製造番号やシリアル番号、あるいは、遊技台の機種や店舗情報や台番などの組み合わせからハッシュ演算したハッシュ値などが用いられてよく、一意に識別可能な情報であれば限定されるものではない。さらに、ＮＦＣ識別情報には、問い合わせ先やサービス情報の提供元のＵＲＬが含まれてもよい。この場合、ＮＦＣ識別情報に含まれるＵＲＬは、全ＮＦＣタグに共通であってもよく、店舗ごとのＮＦＣタグや機種ごとのＮＦＣタグに共通であってもよく、あるいはＮＦＣタグごとに異なっていてもよい。
【００２１】
一方、検定番号や型式名に対応付けられた、各遊技機の機種情報（または、ＵＲＬ）のテーブル２３０を準備する。すると、同じ検定番号や型式によって、ＮＦＣ識別情報および台番別ＵＲＬと、機種情報（または、ＵＲＬ）とが紐付けられて（Ｓ２２０）、テーブル２４０が生成される。
【００２２】
生成されたテーブル２４０は、各遊技機に配置されたＮＦＣタグの一意のＮＦＣ識別情報と、台番別ＵＲＬや機種情報（または、ＵＲＬ）とが紐付けられている。したがって、ユーザが携帯するユーザ端末によって各遊技機のＮＦＣタグから一意のＮＦＣ識別情報を読み取れば、その遊技機の機種情報あるいは遊技機ごとのサービス情報を得ることができる。
【００２３】
（システム構成）
図３Ａは、本実施形態に係る情報処理装置３１０を含む情報処理システム２００の構成を示すブロック図である。
【００２４】
情報処理システム２００は、ネットワーク３６０を介して接続された、本実施形態の情報処理装置３１０と、店舗３２０の通信端末２５０および２６０と、遊技者であるユーザが携帯するユーザ端末３３０と、を備える。また、情報処理システム２００は、ネットワーク３６０を介して接続された、ユーザ端末３３０に遊技機３２１の機種情報を提供する機種情報提供サーバ３４０と、サービス情報を提供するサービス情報提供サーバ３５０と、を備える。
【００２５】
店舗３２０には、遊技機３２１が配置され、各遊技機３２１にシール状の近距離通信用タグ３２２（以下、ＮＦＣタグ３２２とも称す）が設置されている。各遊技機３２１の各ＮＦＣタグ３２２には、一意に識別可能なＮＦＣ識別情報が記憶されている。ユーザ端末３３０が、ＮＦＣタグ３２２から一意に識別可能なＮＦＣ識別情報を読み取ると、ユーザ端末３３０は、ＮＦＣ識別情報を情報処理装置３１０に送信する。
【００２６】
店舗３２０の通信端末２５０は、店舗３２０内の各遊技機３２１に配置されたＮＦＣタグ３２２が有するＮＦＣ識別情報を各遊技機３２１の台番に対応付けて情報処理装置３１０に登録するための端末である。店舗３２０の通信端末２６０は、店舗３２０内に配置された各遊技機３２１を入れ替える時に、警察などの申請先の申請する入替書類データを情報処理装置３１０に入力するための端末である。なお、通信端末２５０および２６０は、同じ端末であってもよい。
【００２７】
情報処理装置３１０は、データベース生成部３１１と、機種情報（サービス情報）提供部３１２と、データベース３１３と、を備える。データベース生成部３１１は、店舗３２０の通信端末２５０や２６０から登録あるいは入力された情報を用いて、ユーザ端末３３０からのＮＦＣ識別情報の送信に機種情報やサービス情報、あるいは、それらを取得するアクセスアドレス（ＵＲＬ）を返信するためのデータを生成して、データベース３１３に格納する。機種情報（サービス情報）提供部３１２は、ユーザ端末３３０からのＮＦＣ識別情報の送信に応答して、ＮＦＣ識別情報で一意に選択された各遊技機３２１に対応する機種情報やサービス情報、あるいは、それらを取得するアクセスアドレス（ＵＲＬ）を提供する。データベース３１３は、店舗３２０の通信端末２５０や２６０から登録あるいは入力された情報と、データベース生成部３１１が使用するデータや生成したデータと、機種情報（サービス情報）提供部３１２が使用するデータと、を格納する。
【００２８】
（遊技機）
図３Ｂは、本実施形態に係る遊技機３２１の構成を示す図である。図３Ｂにはスロットマシンが図示されているが、パチンコなどの他の遊技機であってもよい。各遊技機３２１には、一意のＮＦＣ識別情報を記憶して送信する、シール状のＮＦＣタグ３２２が設置されている。なお、図３Ｂには、ＮＦＣタグ３２２からのＮＦＣ識別情報を受信できない場合に備えて、カメラの撮により識別情報を取得できる２次元バーコードも設置されるのが望ましい。
【００２９】
（遊技機管理手順）
図３Ｃは、本実施形態に係る情報処理システムを用いた遊技機管理の手順を示す図である。図３Ｃには、本実施形態に係る情報処理システムを店舗に導入する場合の簡略化された手順が示されている。遊技機管理の手順としては、通信端末２５０や２６０による店舗情報の設定（Ｓ３１０）および台番別ＵＲＬの設定（Ｓ３２０）と、店舗における準備作業（Ｓ３３０）と、が含まれる。
【００３０】
店舗情報の設定（Ｓ３１０）では、ステップＳ３１１において、店舗を所有する法人の法人番号によって法人登録を行う。次に、ステップＳ３１２において、店舗番号により店舗を登録する。ステップＳ３１３において、シール状のＮＦＣタグ３２２としてのＵＲＬシールの設置台(台数・台番）を登録する。そして、ステップＳ３１４において、台番にＮＦＣ識別情報としてのシール識別番号の紐付けを行う。その後、ステップＳ３１５において台番別ＵＲＬを構築し、ステップＤ３１６において台番別ＵＲＬの飛ばし先を設定する。台番別ＵＲＬの飛ばし先は、台番ごとに一意に設定してもよいし、法人番号や店舗番号を用いて自動設定してもよい。
【００３１】
台番別ＵＲＬの設定（Ｓ３２０）では、ステップＳ３２１において、店舗を所有する法人の法人番号によって法人登録を行い、ステップＳ３２２において、シール識別番号と台番別ＵＲＬの紐付けを行う。店舗における準備作業（Ｓ３３０）では、ステップＳ３３１において各遊技機へ台番別シールを取り付け、その後、ステップＳ３３２において、各遊技台のＵＲＬシールからシール識別番号を読み出し、台番と台番別ＵＲＬの確認を行う。
【００３２】
（動作シーケンス）
図３Ｄは、実施形態に係る情報処理装置３１０を含む情報処理システム２００の動作手順を示すシーケンス図である。
【００３３】
ステップＳ３４１において、店舗システムの通信端末２５０、２６０と情報処理装置３１０との通信を確立する。ステップＳ３４３において、通信端末２５０から各遊技機に取り付けられたＮＦＣタグ３２２のＮＦＣ識別情報が情報処理装置３１０に登録される。また、ステップＳ３４５において、通信端末２６０から各遊技機に割り当てられる台番別ＵＲＬが情報処理装置３１０に対し入力される。情報処理装置３１０は、ステップＳ３４７において、台番ごとにＮＦＣ識別情報と台番ＵＲＬとを結合して（図２のテーブル２１０参照）、データベース３１３に格納する。
【００３４】
ステップＳ３４９において、通信端末２６０から入替書類データが情報処理装置３１０に入力される。情報処理装置３１０は、ステップＳ３５１において、入替書類データから検定番号（型式名）を抽出して、検定番号（型式名）と、ステップＳ３４７で結合されたＮＦＣ識別情報および台番別ＵＲＬとを合体して（図２のテーブル２２０参照）、データベース３１３に格納する。
【００３５】
情報処理装置３１０は、ステップＳ３５３において、あらかじめデータベース３１３に準備された検定番号（型式名）に対応付いた機種情報、あるいは、外部から読み込まれた検定番号（型式名）に対応付いた機種情報を取得する（図２のテーブル２３０）。そして、情報処理装置３１０は、ステップＳ３５５において、同じ検定番号（型式名）によって、ＮＦＣ識別情報と機種情報とを紐付けて（図２のテーブル２４０参照）、データベース３１３に格納する。
【００３６】
ステップＳ３６１において、ユーザが携帯するユーザ端末３３０によって、各遊技機３２１のＮＦＣタグ３２２からＮＦＣ識別情報を受信すると、ＮＦＣ識別情報を情報処理装置３１０に送信する。情報処理装置３１０は、ステップＳ３６３において、ユーザ端末３３０から受信したＮＦＣ識別情報によりデータベース３１３を検索し、ＮＦＣ識別情報に一意に対応付いた機種情報（あるいは、ＵＲＬ）を読み出す。
【００３７】
以下、ユーザ端末３３０が機種情報の提供先ＵＲＬを取得した場合の処理を示す。ユーザ端末３３０は、ステップＳ３６５において、取得したＵＲＬによって機種情報提供サーバ３４０にアクセスする。機種情報提供サーバ３４０は、ステップＳ３６７において、ＮＦＣ識別情報に一意に対応付いた機種情報をユーザ端末３３０に提供する。ユーザ端末３３０は、ステップＳ３６９において、ＮＦＣ識別情報を受信したＮＦＣタグ３２２が設置された遊技台の機種情報を取得し、ステップＳ３７１において、機種情報をユーザに提示する。なお、図３Ｄでは、機種情報の提示について説明したが、例えば、ＵＲＬが各遊技機にたいして一意のものであって、サービス情報提供サーバ３５０から各遊技機の台番別のサービス情報を取得して提示する処理も同様である。
【００３８】
（端末からの設定画面）
図４Ａは、本実施形態に係る店舗の通信端末２５０からのＮＦＣ識別情報設定を示す図である。通信端末２５０の表示画面４５１には、ＮＦＣ識別情報設定時の表示例が図示されている。
【００３９】
表示画面４５１は、ＮＦＣ識別情報を設定している設定元の法人や店舗を特定する設定欄４５２と、台番に対応付けたＮＦＣタグ３２２が記憶するＮＦＣ識別情報を登録する設定欄４５３とを含む。なお、設定欄４５３における種別（Ｐ／Ｓ）はパチンコ（Ｐ）とスロット（Ｓ）を表している。
【００４０】
図４Ｂは、本実施形態に係る店舗の通信端末２５０からの台番別ＵＲＬ設定を示す図である。通信端末２５０の表示画面４５４には、台番別ＵＲＬ設定時の表示例が図示されている。
【００４１】
表示画面４５４は、台番別ＵＲＬを設定している設定元の店舗での設定選択をする設定欄４５５と、台番に対応付けた台番別ＵＲＬを入力する設定欄４５６とを含む。ここで、図４Ｂでは、設定欄４５５において「個別」が選択されることで、設定欄４５６では台番別のＵＲＬが入力可能である。一方、設定欄４５５において「検定番号一括」が選択された場合は、機種ごとのＵＲＬが入力される。
【００４２】
図４Ｃは、本実施形態に係る店舗の通信端末２６０からの入替書類データ設定を示す図である。通信端末２６０の表示画面４６１には、入替書類データ設定時の表示例が図示されている。
【００４３】
表示画面４６１は、入替書類データを設定している設定元の法人や店舗を特定する設定欄４６２と、台番に対応付けた検定番号と型式名とを入力する設定欄４６３とを含む。なお、設定欄４６３における種別（Ｐ／Ｓ）はパチンコ（Ｐ）とスロット（Ｓ）を表しており、発売日はこの機種が発売された日を表している。他にメーカ名や機種タイプも図５吾入力される。
【００４４】
（ユーザ端末の表示画面）
図５Ａは、本実施形態に係るユーザ端末３３０のサービスメニュー表示画面５３１、５３６、５３７を示す図である。図５Ａには、３種類のサービスメニュー表示画面５３１、５３６、５３７を示したが、これらに限定されない。
【００４５】
サービスメニュー表示画面５３１は、４つのサービスメニューを表示している。「機種情報」５３２は、ユーザ端末３３０が受信したＮＦＣ識別情報に一意に対応付いた機種情報を取得するメニューである。「新台入替」５３３は、ユーザ端末３３０が受信したＮＦＣ識別情報に一意に対応付いた新台入替の予告情報を取得するメニューである。「今日の運勢」５３４は、ユーザ端末３３０が受信したＮＦＣ識別情報に一意に対応付いた今日の運勢を取得するメニューである。「限定商品」５３５は、ユーザ端末３３０が受信したＮＦＣ識別情報に一意に対応付いた景品の限定情報を取得するメニューである。
【００４６】
サービスメニュー表示画面５３６は、「機種情報」５３２、「新台入替」５３３、「今日の運勢」５３４、の３つのサービスメニューを表示している場合である。サービスメニュー表示画面５３７は、「機種情報」５３２、「限定商品」５３５、「今日の運勢」５３４、の３つのサービスメニューをこの順に表示している場合である。このように、表示するサービスメニューの種類や数やその順序は、各遊技機に一意に設定されており、その設定は店舗により自在に設定が可能である。なお、サービスメニューの種類や数やその順序を各遊技機に固定とせず、ユーザが設定可能にしてもよい。
【００４７】
図５Ｂは、本実施形態に係るユーザ端末３３０の「機種情報５３２」選択時の表示画面を示す図である。ユーザが「機種情報５３２」を選択すると、例えば、ＮＦＣ識別情報に一意に対応付いた機種情報の表示画面５３８がユーザ端末３３０に表示される。機種情報の表示画面５３８には、機種名の外、この機種の設置店の検索欄や、ユーザ評価ポイント、機種の特徴、遊技に関する情報、などが表示される。
【００４８】
図５Ｃは、本実施形態に係るユーザ端末３３０の「新台入替５３３」選択時の表示画面を示す図である。ユーザが「新台入替５３３」を選択すると、例えば、ＮＦＣ識別情報に一意に対応付いた新台入替予告の表示画面５３９がユーザ端末３３０に表示される。新台入替予告の表示画面５３９には、例えば、現在ユーザが位置する遊技機とユーザの好みが近い遊技機の入替予告を提示するのが望ましい。
【００４９】
図５Ｄは、本実施形態に係るユーザ端末３３０の「今日の運勢５３４」選択時の表示画面を示す図である。ユーザが「今日の運勢５３４」を選択すると、例えば、ＮＦＣ識別情報に一意に対応付いた今日の運勢の表示画面５４０がユーザ端末３３０に表示される。今日の運勢の表示画面５４０は、時間限定５４１の表示も可能である。例えば、今日の運勢の表示画面５４０の表示を閉店前の時間帯に設定してもよい。この遊技機を遊技対象に選んだことが運勢と結びつくので趣向を高めることができる。
【００５０】
図５Ｅは、本実施形態に係るユーザ端末３３０の「限定商品５３５」選択時の表示画面を示す図である。ユーザが「限定商品５３５」を選択すると、例えば、ＮＦＣ識別情報に一意に対応付いた景品の限定商品の表示画面５４２がユーザ端末３３０に表示される。限定商品の表示画面５４２は、この遊技機を遊技対象に選んだことで得られる景品が限定され、遊技機選択の趣向を高めることができる。
【００５１】
＜情報処理装置の機能構成＞
図６は、本実施形態に係る情報処理装置３１０の機能構成を示すブロック図である。
【００５２】
情報処理装置３１０は、通信制御部６０１と、ＮＦＣ識別情報取得部６０２と、台番号別ＵＲＬ取得部６０３と、結合部６０４と、入替書類データ取得部６０５と、検定番号（型式名）抽出部６０６と、合成部６０７と、を備える。また、情報処理装置３１０は、オプションの機種情報（ＵＲＬ）取得部６０８と、紐付部６０９と、データベース３１３と、を備える。さらに、情報処理装置３１０は、ＮＦＣタグ識別情報受信部６１０と、機種情報（ＵＲＬ）取得部６１１と、機種情報（ＵＲＬ）送信部６１２と、を備える。
【００５３】
通信制御部６０１は、店舗システムの通信端末２５０、２６０およびユーザが携帯するユーザ端末３３０との通信を制御する。ＮＦＣ識別情報取得部６０２は、通信端末２５０から登録される（図４Ａ参照）、各遊技機に設置されるＮＦＣタグが有するＮＦＣ識別情報を台番に対応付けて取得する。台番号別ＵＲＬ取得部６０３は、通信端末２５０から入力される（図４Ｂ参照）、台番号別ＵＲＬを取得する。結合部６０４は、結合テーブル６４１を有し、台番ごとにＮＦＣ識別情報と台番号別ＵＲＬとを結合して、データベース３１３に格納する。なお、結合テーブル６４１の構成は、図２のテーブル２１０の構成と類似である。
【００５４】
入替書類データ取得部６０５は、通信端末２６０から入力される（図４Ｃ参照）、入替書類データを取得する。検定番号（型式名）抽出部６０６は、入替書類データから検定番号と型式名とを抽出する。合成部６０７は、合成テーブル６７１を有し、同じ台番のＮＦＣ識別情報と検定番号（型式名）とを合成して、データベース３１３に格納する。なお、合成テーブル６７１の構成は、図２のテーブル２２０の構成と類似である。紐付部６０９は、紐付テーブル６９１を有し、合成部６０７からのＮＦＣ識別情報と機種情報（ＵＲＬ）とを同じ検定番号または型式名により紐付けて、データベース３１３に格納する。なお、紐付テーブル６９１の構成は、図２のテーブル２４０の構成と類似である。また、検定番号（型式名）に対応付いた機種情報（ＵＲＬ）のテーブル２３０は、あらかじめデータベース３１３に準備されていてもよいし、外部から機種情報（ＵＲＬ）取得部６０８によって取得されてもよい。ここで、機種情報（ＵＲＬ）取得部６０８はオプションである。
【００５５】
ＮＦＣタグ識別情報受信部６１０は、各遊技機に設置されたＮＦＣタグ３２２からユーザ端末３３０が読み出したＮＦＣ識別情報を、ユーザ端末３３０から受信する。機種情報（ＵＲＬ）取得部６１１は、機種情報取得テーブル６２１を有し、データベース３１３からＮＦＣ識別情報により検索した一意の機種情報（ＵＲＬ）を取得する。機種情報（ＵＲＬ）送信部６１２は、取得した機種情報（ＵＲＬ）をＮＦＣ識別情報の送信元のユーザ端末３３０に送信する。
【００５６】
データベース３１３は、図２に示したテーブル２１０、２２０、２３０、２４０などを格納する。なお、図６の構成要素（６０２〜６０９）が、図３Ａのデータベース生成部３１１を構成し、構成要素（６１０〜６１２）が、図３Ａの機種情報（サービス情報）提供部３１２を構成する。
【００５７】
（機種情報取得テーブル）
図７は、本実施形態に係る機種情報取得テーブル６２１の構成を示す図である。機種情報取得テーブル６２１は、機種情報（ＵＲＬ）取得部６１１が、データベース３１３からＮＦＣ識別情報により検索した一意の機種情報（ＵＲＬ）を取得し、ＮＦＣ識別情報の送信元のユーザ端末３３０に送信するために用いられる。
【００５８】
機種情報取得テーブル６２１は、ＮＦＣタグ識別情報の送信元のユーザ端末ＩＤ７０１に対応付けて、受信したＮＦＣタグ識別情報７０２と、店舗台番別ＵＲＬ７０３と、機種情報（ＵＲＬ）７０４とを記憶する。
【００５９】
＜情報処理装置のハードウェア構成＞
図８は、本実施形態に係る情報処理装置３１０のハードウェア構成を示すブロック図である。なお、図８において、図６と同様の構成要素には同じ参照番号を付して、重複する説明を省略する。
【００６０】
図８で、ＣＰＵ(Central Processing Unit)８１０は演算制御用のプロセッサであり、プログラムを実行することで図６の構成要素を実現する。ＲＯＭ(Read Only Memory)８２０は、初期データおよびプログラムなどの固定データおよびプログラムを記憶する。ネットワークインタフェース８３０は、ネットワーク３６０を介して、各店舗の通信端末２５０、２６０、および、ユーザ端末３３０との通信を制御する。
【００６１】
ＲＡＭ(Random Access Memory)８４０は、ＣＰＵ８１０が一時記憶のワークエリアとして使用するランダムアクセスメモリである。ＲＡＭ８４０には、本実施形態の実現に必要なデータを記憶する領域が確保されている。ＮＦＣ識別情報８４１は、各店舗の通信端末２５０から登録された台番ごとのＮＦＣ識別情報である。台番別ＵＲＬ８４２は、各店舗の通信端末２５０から入力された台番ごとのＵＲＬである。結合テーブル６４１は、図６に示した結合部６０４が使用するテーブルである。入替書類データ８４３は、各店舗の通信端末２６０から入力された入替書類データである。検定番号（型式名）８４４は、入替書類データ８４３から抽出された検定番号（型式名）である。合成テーブル６７１は、図６の合成部６０７が使用するテーブルである。紐付テーブル６９１は、図６の紐付部６０９が使用するテーブルである。ユーザ端末ＩＤ８４５は、情報処理装置３１０にＮＦＣタグ識別情報８４６を送信した送信元のユーザ端末の識別子である。ＮＦＣタグ識別情報８４６は、ユーザ端末ＩＤ８４５で示されるユーザ端末３３０が送信した識別情報である。機種情報取得テーブル６２１は、図６の機種情報（ＵＲＬ）取得部が使用するテーブルである。送受信データ８４７は、ネットワーク３６０を介して、店舗システムの通信端末２５０、２６０およびユーザが携帯するユーザ端末３３０と送受信するデータである。
【００６２】
ストレージ８５０には、データベースや各種のパラメータ、あるいは本実施形態の実現に必要な以下のデータまたはプログラムが記憶されている。データベース３１３は、テーブル２１０、２２０、２３０、２４０などを格納するデータベースである。ストレージ８５０には、以下のプログラムが格納される。情報処理プログラム８５１は、情報処理装置３１０の全体を制御するプログラムである。ＮＦＣ識別情報・台番別ＵＲＬ結合モジュール８５２は、ＮＦＣ識別情報と台番別ＵＲＬとを結合するモジュールである。ＮＦＣ識別情報・検定番号（型式名）合成モジュール８５３は、ＮＦＣ識別情報と検定番号（型式名）とを合成するモジュールである。ＮＦＣ識別情報・機種情報紐付モジュール８５４は、ＮＦＣ識別情報と機種情報（ＵＲＬ）とを紐付けるモジュールである。ＮＦＣタグ識別情報受信モジュール８５５は、ユーザ端末３３０からＮＦＣタグ識別情報を受信するモジュールである。機種情報（ＵＲＬ）取得モジュール８５６は、ＮＦＣタグ識別情報に紐付いた機種情報（ＵＲＬ）を取得するモジュールである。機種情報（ＵＲＬ）送信モジュール８５７は、取得した機種情報（ＵＲＬ）をＮＦＣタグ識別情報の送信元のユーザ端末３３０に送信するモジュールである。
【００６３】
なお、図８のＲＡＭ８４０やストレージ８５０には、情報処理装置３１０が有する汎用の機能や他の実現可能な機能に関連するプログラムやデータは図示されていない。
【００６４】
＜情報処理装置の処理手順＞
図９は、本実施形態に係る情報処理装置３１０の処理手順を示すフローチャートである。このフローチャートは、図８のＣＰＵ８１０がＲＡＭ８４０を使用して実行し、図６の構成要素を実現する。
【００６５】
情報処理装置３１０は、ステップＳ９１１において、データベースの生成か否かを判定する。データベースの生成であれば、情報処理装置３１０は、ステップＳ９１３において、データベース生成処理を実行する。データベースの生成でなければ、情報処理装置３１０は、ステップＳ９２１において、ＮＦＣタグ識別情報の受信か否かを判定する。ＮＦＣタグ識別情報の受信であれば、情報処理装置３１０は、ステップＳ９２３において、機種情報（ＵＲＬ）提供処理を実行する。
【００６６】
（データベース生成処理）
図１０Ａは、本実施形態に係るデータベース生成処理Ｓ９１３の手順を示すフローチャートである。
【００６７】
情報処理装置３１０は、ステップＳ１０１１において、各店舗の通信端末２５０からのＮＦＣ識別情報の受信を待機する。ＮＦＣ識別情報を受信すると、情報処理装置３１０は、ステップＳ１０１３において、ＮＦＣ識別情報を取得する。情報処理装置３１０は、ステップＳ１０１５において、各店舗の通信端末２５０からの台番号別ＵＲＬの受信を待機する。台番号別ＵＲＬを受信すると、情報処理装置３１０は、ステップＳ１０１７において、台番号別ＵＲＬを取得する。そして、情報処理装置３１０は、ステップＳ１０１９において、同じ台番のＮＦＣ識別情報と台番号別ＵＲＬとを結合する。
【００６８】
情報処理装置３１０は、ステップＳ１０２１において、各店舗の通信端末２６０からの入替書類データの受信を待機する。入替書類データを受信すると、情報処理装置３１０は、ステップＳ１０２３において、受信した入替書類データから、各台番の検定番号（型式名）を抽出する。そして、情報処理装置３１０は、ステップＳ１０２３において、検定番号（型式名）とＮＦＣ識別情報とを合成する。
【００６９】
次に、情報処理装置３１０は、ステップＳ１０２７において、データベース３１３または外部から、検定番号(型式名)に対応付けられた遊技機の機種情報（ＵＲＬ）を取得する。そして、情報処理装置３１０は、ステップＳ１０２９において、ＮＦＣ識別情報と機種情報（ＵＲＬ）とを紐付けて、ステップＳ１０３１において、データベース３１３に格納する。
【００７０】
（ＵＲＬ提供処理）
図１０Ｂは、本実施形態に係る機種情報（ＵＲＬ）提供処理Ｓ９２３の手順を示すフローチャートである。
【００７１】
情報処理装置３１０は、ステップＳ１０４１において、ＮＦＣ識別情報の送信元のユーザ端末ＩＤを記憶する。情報処理装置３１０は、ステップＳ１０４３において、送信されたＮＦＣ識別情報を取得する。情報処理装置３１０は、ステップＳ１０４５において、ＮＦＣ識別情報に紐付いた機種情報（ＵＲＬ）をデータベース３１３から検索する。そして、情報処理装置３１０は、ステップＳ１０４７において、取得した識別情報（ＵＲＬ）を、送信元のユーザ端末に送信する。
【００７２】
＜ユーザ端末の処理手順＞
図１１は、本実施形態に係るユーザ端末３３０の処理手順を示すフローチャートである。なお、ユーザ端末３３０の構成は、汎用のスマートフォンと同様であるので説明は省略する。ユーザ端末３３０は、アプリケーションプログラムをダウンロードしてユーザ端末３３０のＣＰＵがＲＡＭを使用して実行することで、あるいは、Ｗｅｂブラウザによって、図５Ａ〜図５Ｅの動作を実現する。
【００７３】
ユーザ端末３３０は、ステップＳ１１０１において、機種情報（サービス情報）取得用アプリケーションを起動する。ユーザ端末３３０は、ステップＳ１１０３において、各遊技機のＮＦＣタグ３２２からのＮＦＣ識別情報の受信を待機する。ＮＦＣ識別情報を受信すると、ユーザ端末３３０は、ステップＳ１１０５において、図５Ａのように選択したサービスメニューを表示する。
【００７４】
ユーザ端末３３０は、ステップＳ１１０７において、サービスメニューからのユーザの選択を待つ。「機種情報」が選択されると、ユーザ端末３３０は、ステップＳ１１０９において、ＮＦＣタグ３２２から取得したＮＦＣ識別情報を情報処理装置３１０に送信する。そして、ユーザ端末３３０は、ステップＳ１１１１において、情報処理装置３１０からの機種情報（ＵＲＬ）の返信を待つ。
【００７５】
情報処理装置３１０から機種情報（ＵＲＬ）の返信があれば、ユーザ端末３３０は、ステップＳ１１１３において、ＵＲＬによって機種情報の提供元サーバにアクセスする。ユーザ端末３３０は、ステップＳ１１１５において、提供元サーバからの機種情報の受信を待って、機種情報の受信があると、ステップＳ１１１７において、受信した機種情報を表示する。
【００７６】
なお、「機種情報」以外のメニューが選択されると、他の処理へ(図５Ｃ〜図５Ｅのようなー台番号別サービス情報の提供処理など）を実行する。
【００７７】
本実施形態によれば、各遊技機に配置された近距離通信用タグが有する識別情報と遊技機の機種に関連する機種情報とを、同じ検定番号または同じ型式名によって紐付けたので、近距離通信で得た識別情報に基づいて遊技機の機種に応じた情報を提供することができる。また、近距離通信用タグが有する識別情報と台番別のサービス情報とを紐付けたので、近距離通信で得た識別情報に基づいて台番別のサービス情報を提供することができる。
【００７８】
なお、本実施形態においては、ユーザ端末への遊技機ごとの機種情報の提供およびサービス情報の提供について示した。しかし、検定番号（型式名）による機種情報（ＵＲＬ）の紐付けを行わず、図２のＮＦＣ識別情報と台番別ＵＲＬとの結合データのテーブル２１０により、近距離通信で得た識別情報に基づいて台番別のサービス情報を提供することによっても、十分な効果が得られる。
【００７９】
［第３実施形態］
次に、本発明の第３実施形態に係る情報処理装置について説明する。本実施形態に係る情報処理装置は、上記第２実施形態と比べると、各遊技機に対応する機種情報やサービス情報を取得する場合に、店舗においてパスワードによる認証を設定可能である点で異なる。その他の構成および動作は、第２実施形態と同様であるため、同じ構成および動作については同じ符号を付してその詳しい説明を省略する。
【００８０】
（パスワード処理の設定）
図１２Ａは、本実施形態に係る情報提供のパスワード処理の設定を説明する図である。通信端末２５０の表示画面１２５１には、パスワード設定時の表示例が図示されている。
【００８１】
表示画面１２５１は、パスワードの使用方法を設定する設定欄１２５２と、パスワードを設定している設定元の法人や店舗を特定する設定欄１２５３と、を含む。設定欄１２５２において、対象とするサービス（図１２Ａでは「今日の運勢」）のパスワード編集を選択すると、設定欄１２５３が表示される。設定欄１２５３には、パスワードを利用するか否かの選択ボタンがあり、図１２Ａのように利用が指示されると、設定欄１２５２の利用が設定されて、「今日の運勢」のサービスを受けるには、あらかじめ店舗が設定されたパスワードに入力が必要になる。なお、あらかじめ店舗が設定されたパスワードは、店舗の入り口などの決められた場所に提示される。
【００８２】
（パスワード処理時の表示画面）
図１２Ｂは、本実施形態に係る情報提供のパスワード処理時のユーザ端末３３０の表示画面を示す図である。なお、図１２Ｂにおいて、図５Ａと同様の構成要素には同じ参照番号を付して、重複する説明を省略する。
【００８３】
図５Ａに図示したサービスメニュー表示画面５３１から、パスワード利用が設定されたメニューを選択すると、表示画面１２３２にように、“合言葉を入力してください”とのメッセージとパスワード入力欄が表示される。パスワードを入力して「送信」をタッチすると、パスワードが情報処理装置３１０に送られてパスワードの合否が、情報処理装置３１０の判定部でチェックされる。パスワードが正しくて合致すれば、表示画面１２３３のようにメニュー選択に対応した情報の提示が許可される。一方、パスワードが誤りで不一致であれば、表示画面１２３４のように、パスワードの再入力が要求される。
【００８４】
本実施形態によれば、他の実施形態の効果に加えて、ユーザによる遊技場外からの情報閲覧などの不正を防止することができる。
【００８５】
［第４実施形態］
次に、本発明の第４実施形態に係る情報処理装置について説明する。本実施形態に係る情報処理装置は、上記第２実施形態および第３実施形態と比べると、既に検定番号（型式名）とＮＦＣ識別情報との対応データを有する場合に、ＮＦＣ識別情報と各遊技機の機種情報またはサービス情報とを紐付ける点で異なる。その他の構成および動作は、第２実施形態と同様であるため、同じ構成および動作については同じ符号を付してその詳しい説明を省略する。
【００８６】
＜情報処理システムの動作概要＞
図１３は、本実施形態に係る情報処理装置を含む情報処理システム１３００の動作概要を示す図である。なお、図１３において、図２と同様の構成要素には同じ参照番号を付して、重複する説明を省略する。
【００８７】
テーブル１２２０は、台番に対応付けて、ＮＦＣ識別情報と、台番別ＵＲＬと、検定番号（型式名）とがあらかじめ合成されて準備されている。後の紐付け処理は、図２と同様である。
【００８８】
本実施形態によれば、他の実施形態の効果に加えて、ＮＦＣ識別情報と検定番号（形式名）との合成処理を必要としないため、情報処理装置の負荷を軽減することができる。
【００８９】
［第５実施形態］
次に、本発明の第５実施形態に係る情報処理装置について説明する。本実施形態に係る情報処理装置は、上記第２実施形態から第４実施形態と比べると、さらに、店舗情報である法人番号や店舗番号を用いて、アクセス先を自動的に選択可能とする点で異なる。その他の構成および動作は、第２実施形態と同様であるため、同じ構成および動作については同じ符号を付してその詳しい説明を省略する。
【００９０】
＜情報処理システムの動作概要＞
図１４は、本実施形態に係る情報処理装置を含む情報処理システム１４００の動作概要を示す図である。なお、図１４において、図２と同様の構成要素には同じ参照番号を付して、重複する説明を省略する。
【００９１】
情報処理システム１４００においては、各店舗の通信端末１４５０から登録された法人番号と店舗番号とが、マッチングにより、店舗台番別ＵＲＬに反映されて自動的に生成される（Ｓ１４１０）。すなわち、テーブル１４１０においては、店舗台番別ＵＲＬは、“http;//ater.net/法人番号/店舗番号/台番”として自動生成される。
【００９２】
（店舗台番別ＵＲＬ生成処理）
図１５は、本実施形態に係る店舗台番別ＵＲＬ生成処理の手順を示すフローチャートである。
【００９３】
情報処理装置３１０は、ステップＳ１５０１において、法人番号と店舗番号との受信を待機する。法人番号と店舗番号との受信があれば、情報処理装置３１０は、ステップＳ１５０３において、通信端末２５０から登録されたＮＦＣ識別情報を取得する。情報処理装置３１０は、ステップＳ１５０５において、所定ＵＳＬ（図１４では“http;//ater.net”）に、“／法人番号／店舗番号／台番”を付加して、店舗台番別ＵＲＬを生成する。そして、情報処理装置３１０は、ステップＳ１５０７において、台番に対応付けて、登録するＮＦＣ識別情報と、生成された店舗台番別ＵＲＬとを、データベース３１３に格納する。
【００９４】
本実施形態によれば、他の実施形態の効果に加えて、店舗台番別ＵＲＬを個々に設定する操作無しに、店舗情報である法人番号や店舗番号によって店舗台番別ＵＲＬを自動的に生成するので、店舗ユーザの操作を簡素化することができる。
【００９５】
［第６実施形態］
次に、本発明の第６実施形態に係る情報処理装置について説明する。本実施形態に係る情報処理装置は、上記第２実施形態から第５実施形態と比べると、各遊技台に対して一意のＮＦＣ識別情報と台番別ＵＲＬとを紐付ける構成を有する点で異なる。その他の構成および動作は、第２実施形態から第５実施形態と同様であるため、同じ構成および動作については同じ符号を付してその詳しい説明を省略する。
【００９６】
＜情報処理システムの動作概要＞
図１６は、本実施形態に係る情報処理装置を含む情報処理システム１６００の動作概要を示す図である。なお、図１６において、図２と同様の構成要素には同じ参照番号を付して、重複する説明を省略する。
【００９７】
情報処理システム１６００においては、各店舗の通信端末１６５０から入力された台番ごとの個別ＵＲＬ１６１０と、通信端末２５０から登録された各ＮＦＣタグのＮＦＣ識別情報とが、マッチング（Ｓ１６１０）によって紐付いたテーブル１４４０が生成される。テーブル１４４０を参照することにより、ユーザが携帯するユーザ端末３３０からのＮＦＣ識別情報に紐付く店舗台番別ＵＲＬを返信することができる。なお、通信端末１６５０は通信端末２５０と同じであってもよい。
【００９８】
本実施形態によれば、各店舗における複雑な操作無に、簡単な操作により台番別に特徴ある機種情報やサービス情報、その他の情報をユーザに提供することができる。
【００９９】
［第７実施形態］
次に、本発明の第７実施形態に係る情報処理装置について説明する。本実施形態に係る情報処理装置は、上記第２実施形態から第６実施形態と比べると、店舗の通信端末からユーザ端末で選択可能な新規メニューを設定できる構成を有する点で異なる。その他の構成および動作は、第２実施形態から第５実施形態と同様であるため、同じ構成および動作については同じ符号を付してその詳しい説明を省略する。
【０１００】
（ユーザ端末の表示画面）
図１７は、本実施形態に係るユーザ端末３３０のサービスメニュー表示画面５３１、１７３４、１７３７を示す図である。なお、図１７において、図５Ａと同様の構成要素には同じ参照番号を付して、重複する説明を省略する。
【０１０１】
サービスメニュー表示画面１７３４において、「食事場所」１７３５と「天気予報」１７３６は、店舗の通信端末から情報処理装置に対して新規に追加するよう指示したメニューである。また、サービスメニュー表示画面１７３７において、「大安売り」１７３８と「最新ニュース」１７３６は、店舗の通信端末から情報処理装置に対して新規に追加するよう指示したメニューである。なお、追加された新規メニューは、店舗内の全遊技機のＮＦＣ識別情報に対応しても、機種ごとに対応しても、島ごとに対応しても、各遊技機に対応してもよい。その設定も店舗の通信端末から設定可能である。
【０１０２】
＜情報処理システムの動作概要＞
図１８は、本実施形態に係る情報処理装置を含む情報処理システム１８００の動作概要を示す図である。なお、図１８において、図２および図１６と同様の構成要素には同じ参照番号を付して、重複する説明を省略する。
【０１０３】
各店舗の通信端末１８５０から入力された新規メニューおよび新規ＵＲＬ１８３０と、通信端末１６５０から入力された台番ごとの個別ＵＲＬ１６１０と、通信端末２５０から登録された各ＮＦＣタグのＮＦＣ識別情報とが、マッチング（Ｓ１８１０）される。その結果、ＮＦＣ識別情報に店舗台番別ＵＲＬと新規メニューおよび新規ＵＲＬとが紐付いたテーブル１８４０が生成される。テーブル１８４０を参照することにより、ユーザが携帯するユーザ端末３３０からのＮＦＣ識別情報に紐付く新規メニューおよび新規ＵＲＬを返信することができる。なお、新規メニューおよび新規ＵＲＬは、全台番に共通であっても、機種ごとに共通であっても、島ごとに共通であっても、遊技機ごとに別々であってもよい。また、通信端末１６５０や１８５０は通信端末２５０と同じであってもよい。
【０１０４】
＜情報処理システムの動作シーケンス＞
図１９は、本実施形態に係る情報処理装置１９１０を含む情報処理システム１８００の動作手順を示すシーケンス図である。なお、図１９において、図３Ｄと同様のステップには同じステップ番号を付して、重複する説明を省略する。また、図１９においては、煩雑なために図３ＤのステップＳ３４９「入れ替え書類データの入力」などを削除したが、含んでいてもよい。
【０１０５】
ステップＳ１９４９において、通信端末１８５０から新規メニューおよび新規ＵＲＬが設定される。ステップＳ１９５１において、情報処理装置１９１０は、ＮＦＣ識別情報、台番別ＵＲＬと、新規メニューおよび新規ＵＲＬと、を紐付けて、テーブル１８４０を生成して、データベース１８１３に格納する。
【０１０６】
ステップＳ３６１において、ユーザ端末３３０がＮＦＣ識別情報を受信して、情報処理装置１９１０に送信すると、情報処理装置１９１０は、ステップＳ１９６３において、既存メニューと新規メニューとの組の表示をユーザ端末３３０に指示する。ユーザ端末３３０では、ステップＳ１９６５でメニューが選択されて、情報処理装置１９１０は、ステップＳ１９６６において、選択されたメニューに対応する新規ＵＲＬがデータベース１８１３から読み出される。そして、読み出された新規ＵＲＬはユーザ端末３３０に送信される。
【０１０７】
ユーザ端末３３０は、ステップＳ１９６７において、取得したＵＲＬによってサービス情報提供サーバ３５０にアクセスする。サービス情報提供サーバ３５０は、ステップＳ１９６８において、ＮＦＣ識別情報に一意に対応付いたサービス情報をユーザ端末３３０に提供する。なお、新規ＵＲＬが各遊技機単位の設定か、遊技機グループ単位の設定かによって、サービス情報が異なったり同じであったりする。ユーザ端末３３０は、ステップＳ１９６９において、ＮＦＣ識別情報を受信したＮＦＣタグ３２２が設置された遊技機に対応付いたサービス情報を取得し、ステップＳ１９７１において、サービス情報をユーザに提示する。
本実施形態によれば、他の実施形態の効果に加えて、客層に合った、あるいは、遊戯対象の遊技機に合った、サービス情報の提供を各店舗で自由に設定可能となり、変化に富んだ融通性のあるサービスが提供をすることができる。
【０１０８】
［他の実施形態］
以上、実施形態を参照して本願発明を説明したが、本願発明は上記実施形態に限定されるものではない。本願発明の構成や詳細には、本願発明の技術的範囲で当業者が理解し得る様々な変更をすることができる。また、それぞれの実施形態に含まれる別々の特徴を如何様に組み合わせたシステムまたは装置も、本発明の技術的範囲に含まれる。
【０１０９】
また、本発明は、複数の機器から構成されるシステムに適用されてもよいし、単体の装置に適用されてもよい。さらに、本発明は、実施形態の機能を実現する情報処理プログラムが、システムあるいは装置に供給され、内蔵されたプロセッサによって実行される場合にも適用可能である。本発明の機能をコンピュータで実現するために、コンピュータにインストールされるプログラム、あるいはそのプログラムを格納した媒体、そのプログラムをダウンロードさせるサーバも、プログラムを実行するプロセッサも本発明の技術的範囲に含まれる。特に、少なくとも、上述した実施形態に含まれる処理ステップをコンピュータに実行させるプログラムを格納した非一時的コンピュータ可読媒体（non-transitory computer readable medium）は本発明の技術的範囲に含まれる。
【要約】
【課題】ユーザ端末が、近距離通信の取得情報に基づいて遊技機の機種に応じたサービス情報を取得すること。
【解決手段】複数の遊技機に対して入替申請用に作成された入替書類データから、複数の遊技機に含まれる各遊技機の検定番号または型式名と、各遊技機の台番号とが対応付いた第１データを抽出する抽出部と、各遊技機に配置された近距離通信用タグが有する識別情報と、各遊技機の台番号とが対応付いた第２データを取得する取得部と、各遊技機の検定番号または型式名と、各遊技機の機種に関連する機種情報とを対応付けて記憶する記憶部と、第１データおよび第２データを台番号に基づいて合成した合成データに含まれる識別情報と、記憶部に記憶された機種情報とを、同じ検定番号または同じ型式名によって紐付ける制御部と、を備えた。
【選択図】  図１【図１】
0006873451.tif 000002
【図２】
0006873451.tif 000003
【図３Ａ】
0006873451.tif 000004
【図３Ｂ】
0006873451.tif 000005
【図３Ｃ】
0006873451.tif 000006
【図３Ｄ】
0006873451.tif 000007
【図４Ａ】
0006873451.tif 000008
【図４Ｂ】
0006873451.tif 000009
【図４Ｃ】
0006873451.tif 000010
【図５Ａ】
0006873451.tif 000011
【図５Ｂ】
0006873451.tif 000012
【図５Ｃ】
0006873451.tif 000013
【図５Ｄ】
0006873451.tif 000014
【図５Ｅ】
0006873451.tif 000015
【図６】
0006873451.tif 000016
【図７】
0006873451.tif 000017
【図８】
0006873451.tif 000018
【図９】
0006873451.tif 000019
【図１０Ａ】
0006873451.tif 000020
【図１０Ｂ】
0006873451.tif 000021
【図１１】
0006873451.tif 000022
【図１２Ａ】
0006873451.tif 000023
【図１２Ｂ】
0006873451.tif 000024
【図１３】
0006873451.tif 000025
【図１４】
0006873451.tif 000026
【図１５】
0006873451.tif 000027
【図１６】
0006873451.tif 000028
【図１７】
0006873451.tif 000029
【図１８】
0006873451.tif 000030
【図１９】
0006873451.tif 000031